(57)【特許請求の範囲】
【請求項１】
下基体１１の一面側に対向して上基体１２を配し、下基体１１と上基体１２の長手方向の一端を開口部１７とし、下基体１１の下対向面１４と上基体１２の上対向面１５の両対向面の間にスペース１６を形成し、該スペース１６を保持しつつ、下基体１１と上基体１２を長手方向の他端側において連結部１３で連結し、前記一端より内側寄りで下基体１１の下対向面１４又は、上基体１２の上対向面１５の何れかの対向面から突出し、下対向面１４、と上対向面１５の両対向面間内に刃先２４を有するカッター２１を取り付け、該カッター２１と、下基体１１又は、上基体１２の何れかの基体の間に袋ｈ１の開封時、ギャップ１８を、前記２枚のシート厚の違いに応じ自動的に感知変化し、該ギャップ１８を調整する調整装置２５を取付けたことを特徴とする開封器。
【請求項２】
下基体１１の一面側に対向して上基体１２を配し、下基体１１と上基体１２の長手方向の一端を開口部１７とし、下基体１１の下対向面１４と上基体１２の上対向面１５の両対向面の間にスペース１６を形成し、該スペース１６を保持しつつ、下基体１１と上基体１２を長手方向の他端側において連結部１３で連結し、前記一端より内側寄りで下基体１１の下対向面１４又は、上基体１２の上対向面１５の何れかの対向面から略垂直に突出し、下対向面１４、と上対向面１５の両対向面間内に刃先２４を有するカッター２１を取り付け、下基体１１と上基体１２の一端にジッパーガイド１９を設けたことを特徴とする開封器。
【請求項３】
下基体１１の一面側に対向して上基体１２を配し、下基体１１と上基体１２の長手方向の一端を開口部１７とし、下基体１１の下対向面１４と上基体１２の上対向面１５の両対向面の間にスペース１６を形成し、該スペース１６を保持しつつ、下基体１１と上基体１２を長手方向の他端側において連結部１３で連結し、前記一端より内側寄りで下基体１１の下対向面１４又は、上基体１２の上対向面１５の何れかの対向面から略垂直に突出し、下対向面１４、と上対向面１５の両対向面間内に刃先２４を有するカッター２１を取り付け、該カッター２１の刃の向き２７が進行方向２６に対し一端方向に傾斜したことを特徴とする開封器。
【発明の詳細な説明】
【技術分野】
【０００１】本発明はジッパー付き袋を開封する開封器と、プラスチック製ボトルのねじ込みキャップを取るキャップ開封装置外し、缶入り飲料や缶詰のプルタブ起し（開缶するための用具）、および開いたジッパーを閉じるスライダーに関す。
【技術背景】
【０００２】従来、お茶、乾物、其の他の食品類又は、薬品類その他等を収納したジッパー付き袋、或はこれに類する各種袋を開封する開封器が求められていた。特にジッパー（ファスナー）付袋に於いては切取位置を鋏などで切り取ると袋を構成する２枚のシート即ち、表シートと裏シートの開口部が同じ位置で同じ形状となり、開封後ジッパーを閉じると前記開口部の２枚のシートが密着状態になって、開口部に手指先が入らず、袋の口を開くのが非常に困難といった問題があった。そこで、特開２００７−１１９０５６号が発明されたが、これには開封に当たり、一種の開封器で一種のシート厚の袋には対応するが一種の開封器で多種あるシート厚の違う袋に対応しない欠陥があった。又、近年ジッパーも進化し、その構造にも変化があって溝状からなりジッパーを挟む構造の特許文献１のジッパーガイドでは、不都合な問題が発生した。
更にジッパー付袋の開いているジッパーを閉じるには手指で閉じていたので完全に閉じきれず湿気、腐敗等が多発していた。また、手に障害があって両手操作が不可能な身障者にあっては上記操作が不可能であった。
【０００３】又、ペットボトルは、ペットボトル本体と回転式キャップによって構成されている。更に、缶入り飲料や缶詰にはプルタブがある。しかし、このペットボトルと缶入り飲料や缶詰のプルタブでは、手の握力が弱い高齢者や子供では開封することが困難なことがしばしばあった。
【先行技術文献】
【特許文献】
【０００４】
【特許文献１】特開２００７−１１９０５６号公報
【発明の概要】
【発明が解決しようとする課題】
【０００５】物品を収納せず、物品収納専用袋として市販されているジッパー付き袋では、該袋の製造段階で前記開口部の２枚のシート間に段差を設け、前記問題の改善策が講じられている。しかし、物品を収納し密閉した前記ジッパー付き袋においては、ジッパーに種々装置を形成し改善策が行われているが未だ解決されていない。そこで、前記特許文献１が発明された。しかし、特許文献１では次の重大欠陥があった。即ち、特許文献１では「前記基体Ａ１２の挟持面３と前記基体Ｂ１３の挟持面４で袋Ｈの切り口部Ｋを挟んで」いるから、特許文献１では、多種ある袋Ｈを構成する２枚のシート厚の違いに対応していない。即ち、製品によって袋を構成するシート１枚のシート厚は略０．０５ｍｍ〜０．１２ｍｍと其の厚薄に大きな相違が有り、この際に於いて前記袋の切口部Ｋを、前記挟持面３と挟持面４で前記シートを挟んで作用をする構造では、シート厚の違いで基体Ａ１２又は、基体Ｂ１３の何れかに取付けられた刃１の刃先２と対面する挟持面との距離が其の都度変化し、開封に際し一種の開封器で一種のシート厚の袋には有効であるが、一種の開封器で多種あるシート厚の違う袋に対応しない欠陥があった。だから前記一種の開封器で前記多種にわたる袋を開封することを可能とする必要があった。
又、ジッパーも近年種々改善策が行われ進化し、その構造に変化があって特許文献１の溝状でジッパーを挟む構造のジッパーガイドでは不都合な問題が発生し、該ジッパーガイドの改善も必要となった。【０００６】又、従来では、開封し開いているジッパーを閉じるには、該ジッパーを指先で摘まみ、該摘んだ指でジッパー上をスライドし閉じていた。しかし、この方法ではジッパーを閉じる作用の不確実性が原因で不都合事例も多発していた。更に高齢者や、手に障害のある身障者にあっては片手での袋の開封とジッパーの開閉は非常に困難であった。【０００７】更に、手の握力の弱い高齢者や子供ではペットボトルの蓋が固く開けることが困難なことがしばしばあった。【０００８】更に、缶ビールや缶ジュースなどの缶入り飲料には、プルタブで開缶できるようにしたものがあるが、プルタブを引き起こす際に指先を傷めることがある。
【課題を解決するための手段】
【０００９】そこで、本開封器Ｑは下基体１１の一面側に対向して上基体１２を配し、（以後、上下は図１を基準とする）下基体１１と上基体１２の長手方向の一端（以後、一端は本開封器Ｑの図１を基準として左端で、他端は右端とする）に開口部１７を形成し、該開口部１７に於ける下基体１１と上基体１２のそれぞれの一端をジッパーガイド１９とし、下基体１１の下対向面１４と上基体１２の上対向面１５の間に、スペース１６を形成し、該スペース１６を保持しつつ、下基体１１と上基体１２を（以後、下基体１１と上基体１２を単に上下両基体又は両基体ということもある）長手方向の他端側において連結部１３で連結する。【００１０】そして、前記ジッパーガイド１９から内側寄りで、袋ｈ１のジッパーｈ６と切取位置ｈ４の隔たりに略等しい距離をおいて、下基体１１の下対向面１４、又は上基体１２の上対向面１５の何れかの対向面から突出し、下対向面１４、と上対向面１５の両対向面間内（該対向面にある凹面内も対向面内に含む）に刃先２４を有するカッター２１を、該カッター２１の刃２２の向き２７が進行方向２６線に対し前記両基体の一端方向に傾斜し下基体１１又は、上基体１２の何れかに取り付ける。更に、カッター２１と、上基体１２又は、下基体１１の何れかの間に又は、カッター２１と、上基体１２と下基体１１の両基体の間に調整装置２５を設けた開封器Ｑである。【００１１】この場合、前記スペース１６とジッパーガイド１９の形状は、
上下基体の開口部１７にジッパーガイド１９を形成するために下基体１１の下対向面１４と上基体１２の上対向面１５の両対向面の間のスペース１６を前記各種袋を構成する２枚のシート厚より大きく、（該１枚のシート厚は略０．０５ｍｍ〜０．１２ｍｍ）且つ、前記２枚のシートに設けられてなる雌雄からなるジッパーｈ６厚（該、雌雄からなるジッパー厚は略１．８ｍｍ）より小さく形成し、更に、本開封器Ｑの長手方向の開口部１７から連結部１３迄の大きさを袋ｈ１の袋トップｈ７からジッパーｈ６までよりも（各種袋の袋トップｈ７からジッパーｈ６まで略、２０ｍｍ〜４０ｍｍ）大きく形成し、袋ｈ１の２枚のシートからなる切取位置ｈ４を切取位置挿入口２０から挿入すると２枚のシートからなる切取位置ｈ４が余裕をもって通過可能な大きさのスペース１６を形成してなる。更に、前記長手方向に対する幅方向に於いては任意でよい。【００１２】開封する条件に関する説明。
前記構成からなる本開封器Ｑは、袋ｈ１の袋トップｈ７と切取位置ｈ４の間に段差を形成して開封する開封器Ｑであって、前記スペース１６内に位置する刃先２４と対向する下対向面１４又は、上対向面１５の何れかの対向面間に次の「開封する条件」のギャップ１８を設けてなる。即ち、該「開封する条件」は次となる。袋ｈ１の２枚のシートの切取位置ｈ４をカッター２１の刃先２４で切開中、該カッター２１の刃先２４が２枚のシートからなる袋ｈ１の１枚目のシートを貫通し、前記カッター２１の刃先２４が前記貫通し出たその位置か、又は其の貫通し出た其の位置から更に、２枚のシートからなる袋ｈ１の２枚目のシート内にあり、該２枚目のシートを貫通しない大きさからなるギャップ１８を形成してなる。（以後、該条件を単に「開封する条件」ということもある）【００１３】刃２２の刃の向き２７とジッパーガイド１９に関する
前記袋ｈ１の切取位置ｈ４がカッター２１に沿って正確に移動するために、該カッター２１の刃２２の刃の向き２７を袋ｈ１の切取位置ｈ４で開封時、該切取位置ｈ４が移動する方向を示す進行方向２６線に対し両基体の一端方向に傾斜し下基体１１又は、上基体１２の何れかに取り付ける。此の進行方向２６線に対し一端方向に傾斜し取付けることによって切取位置ｈ４で開封中、袋ｈ１のジッパーｈ６に、引く力の方向２８に向く力が発生し、ジッパーｈ６の一側ｈ８がジッパーガイド１９位置に引き寄せられる。同時に切取位置ｈ４がカッター２１の刃先２４位置となって正確に切取位置ｈ４で開封する。前記カッター２１の刃２２の向き２７に傾斜がなく進行方向２６線と平行な態様では、袋ｈ１を持った手の微妙な力方向の変化で前記切取位置ｈ４が蛇行し切取位置ｈ４から外れ、開封不可の状態となることがある。
前記で、本開封器Ｑで袋ｈ１の切取位置ｈ４で開封中、ジッパーｈ６厚より小さく形成したスペース１６内にジッパーｈ６が潜り込むことはなく、切取位置ｈ４はカッター２１に沿って正確に移動し開封される。【００１４】調整装置２５に関する説明。
更に、前記袋ｈ１の切取位置ｈ４で切開中、前記「開封する条件」のもとでは、前記ギャップ１８の大きさが、袋ｈ１の最少シート厚の略０．０５ｍｍ（一枚の最少シート厚は略０．０５ｍｍ）となり非常に小さく高精密が要求される。そこで該欠陥を解消するためシート厚の違いに応じて前記ギャップ１８の大きさ、即ち「開封する条件」を自動的に感知調整する弾性体からなる調整装置２５を、カッター２１と下基体１１又は上基体１２の何れかの間に、又は、カッター２１と上下両基体の間に設ける。調整装置２５の作用は、袋ｈ１の開封時、「開封する条件」のギャップ１８を、前記２枚のシート厚の違いに応じ自動的に感知変化し、該ギャップ１８を調整、前記欠陥を解消する。又、前記調整した「開封する条件」から更に前記調整装置２５の弾性力を大きく調整することで前記２枚のシートを切取位置ｈ４で同時に切取ることも可能である。
又、袋ｈ１の切取位置ｈ４両端のシート溶着部分は硬く、特に厚手のシートを用いた袋に於いてはカッター２１が前記溶着部分を乗り越えることに不都合があった。しかし、前記調整装置２５の作用で前記硬い溶着部分を自動的に感知、前記不都合を解決することができた。
この調整装置２５には次の態様がある。【００１５】調整装置２５には次の態様がある。
即ち、
（１）刃先２４を有するカッター２１を刃元２３で下基体１１又は上基体１２の何れかに取付け、刃先２４が対向する下基体１１又は、上基体１２の何れか一方の基体の対向面に窪み３０を設け、弾性体で板状からなる調整装置２５の一端側を窪み３０の位置とし、他端側を前記何れか一方の基体の対向面に支点２９で取付けた調整装置２５（図５、Ａ）。
（２）刃先２４を有するカッター２１の刃元２３に弾性体でマット状からなる調整装置２５（図５、Ｂ）を取付け、該調整装置２５でカッター２１を下基体１１又は上基体１２の何れかに取付ける。
（３）前記の（１）と（２）の調整装置を併用。
（４）前記カッター２１の刃先２４が対向する下基体１１又は、上基体１２の何れか一方の対向面に凹状からなる調整装置２５を設ける。
この際においては、袋ｈ１の切取位置ｈ４がカッター２１の刃先２４の位置にあるとき２枚からなる前記シートは刃先２４の押圧を受け前記調整装置２５の凹状内に押され湾曲し、この湾曲した状態で切取位置ｈ４が進行方向２６方向に移動すると、前記２枚のシートの弾性によって前記「開封する条件」で開封する。【００１６】又、袋ｈ１の切取位置ｈ４で２枚の表裏シートを同時に切り取るには、はカッター２１の刃先２４による前記２枚の表裏シートの切取位置ｈ４に前記「開封する条件」以上の圧力を加える構造か、又は、調整装置２５の取り付けを止め、下基体１１と上基体１２に前記カッター２１を架設した開封器とすればよい。この際においては、袋ｈ１の２枚のシートからなる切取位置ｈ４から袋トップｈ７側を切り取る開封器となる。【００１７】更に、プラスチック製ペットボトルのねじ込みボトルキャップ（以後、単にキャップということもある）ｂ５を取るキャップ開封装置ｂ、缶入り飲料や缶詰のプルタブ開封装置Ｋ、および開いたジッパーを閉じるスライダーｓ１を併設した開封器Ｑである。即ち、力の弱い子供や女性、老人など、握力や腕力の弱い人および手や指等に障害を有する人用に、ペットボトルｂ４のキャップ開封装置ｂ、缶入り飲料や缶詰缶ｋ３のプルタブｋ２を引き起こすためのプルタブ開封装置ｋ、更に開いているジッパーを閉じるスライダーｓ１を本開封器Ｑに併設する。【００１８】ペットボトルのキャップ開封装置ｂに関する説明
上基体１２又は、下基体１１の何れかにっペットボトルｂ４のキャップｂ５を挿入嵌合し開封するための円形からなるキャップ嵌合凹部ｂ１を設け、該凹部の内壁ｂ２面に滑り止めｂ３を設けたプラスチック製ペットボトルのねじ込みキャップｂ５を取るキャップ開封装置ｂとした。【００１９】プルタブ開封装置ｋに関する説明
上基体１２又は、下基体１１の何れかの他端に突片ｋ１を設け、該突片ｋ１で缶飲料などの缶ｋ３のプルタブｋ２を引き起こすプルタブ開封装置Ｋとした。又、ペットボトルｂ４の中蓋に開封用リングのツマミが付いたものがあり、このツマミをプルタブ開封装置Ｋと共用とした。【００２０】スライダーに関する説明
下基体１１又は、上基体１２の一面側にスライダーｓ１をスライダー連結部ｓ３で取り付け前記一面側とスライダーｓ１との間に雌雄からなるジッパーｈ６厚より狭いジッパー通路ｓ４を形成する。前記で、スライダーｓ１と上下何れかの基体との間に形成されてなるジッパー通路ｓ４内にジッパーｈ６を挿入し、該ジッパーｈ６がジッパー通路ｓ４内を通過すればスライダーｓ１の押圧で開いていたジッパーｈ６が閉じる。【００２１】片手開封操作に関する説明
手に障害があって片手操作が要求される身障者では、ジッパー付袋の開封、及びジッパーの開閉は非常に困難である。そこで、本開封器Ｑに吸盤ｋ、磁石ｍやマジックテープ等からなる着脱装置ｃ１を取付け、該着脱装置ｃ１で台ｄ１に着脱自在に取付るか又は、本開封器Ｑを台ｄ１に固着すれば片手操作で上記困難が解消される。
片手操作時では、スライダー先端ｓ２を用いてジッパーｈ６を開く。
【発明の効果】
【００２２】（１）本発明の開封器Ｑは袋の切開位置の表側又は裏側の何れかの片面側のみを横一文字に切開するものであって、本開封器で開封した袋では、指先での開封口のつまみ具合が容易。
（２）袋トップに整理用穴があるものでは、これを切り取らないから整理用フックやバーを用いて収納すれば整理整頓が簡単でしかも場所を取らない。
（３）切りくずが出ない。
（４）スライダーでジッパーを簡単に確実に閉じることができる。
（５）キャップの取り外し、缶詰め缶のプルタブ開封装置ｋの併設で本開封器を有効に使用することが可能。
（６）更に高齢者や手に障害があって片手操作が要求される身障者にあっては、ジッパー付袋の開封、開いたジッパーの開閉は非常に困難であった。本開封器に取付けた着脱装置で本開封器をテーブル等の台に取付け本開封器を用いることで前記の片手操作が可能となった。
【図面の簡単な説明】
【００２３】
【図１】は、一部点線で示した正面図である。
【図２】は、図１の一部点線で示した平面図で、カッター２１の刃２２の向き２７を傾斜して取り付けた解説平面図である。
【図３】は、図１の底面図であり、キャップ開封装置ｂを示した説明図である。
【図４】（Ａ）は、図１のＪ−Ｊ断面図。（Ｂ）は、（Ａ）の円内拡大図で、（Ｃ）は（Ｂ）に於ける「開封する条」の詳細説明図である。
【図５】（Ａ）は、図４のカッター２１の刃先２４と下基体１１の間に調整装置２５を設け更に、下基体１１に磁石ｍからなる着脱装置ｃ１を取付けた図である。（Ｂ）は、上基体１２とカッター２１の間に調整装置２５を設け、下基体１１に磁石ｍからなる着脱装置ｃ１を取付けた図である。（Ｃ）は、上下両基体とカッター２１の間に調整装置２５を設け、下基体１１に磁石からなる着脱装置ｃ１を取付けた図である。（Ｄ）は、図２のＭ−Ｍ断面図であり、下基体１１に凹面状の調整装置２５カッター設けた図である。（Ｅ）は、カッター２１を上下両基体間に架設した図である。
【図６】は、開封時のジッパーガイド１９とジッパーｈ６の位置関係を示す説明図である。
【図７】は、下基体１１の底面に吸盤ｋからなる着脱装置ｃ１を取付け、吸盤ｋで本開封器を台ｄ１に吸着し取り付けた説明図である。
【図８】は、ジッパー付袋の説明図である。
【図９】の（Ａ）は、ジッパー付袋を本開封器で開封する図で、（Ｂ）は、本開封器で開封した袋ｈ１の開封口ｈ５を示す図で、（Ｃ）は、本開封器に設けたスライダーｓ１で、開いているジッパーを閉じている図、（Ｄ）は、片手操作の際、本開封器Ｑのジッパーｈ６を開く説明図。
【図１０】の（Ａ）は、本開封器に併設したプルタブ開封装置ｋで缶ｋ３のプルタブｋ２を起こしている図で、（Ｂ）は、本開封器に併設したキャップ開封装置ｂで、キャップを外す図である。
【図１１】は、特許文献１、特開２００７−１１９０５６号公報の説明参考図である。
【発明を実施するための形態】
【実施例１】
【００２４】実施例１を図１〜図１１で詳細に説明をすれば、図１は、本開封器Ｑの正面図であり、この正面図で示すように、本開封器Ｑは下基体１１の一面側に対向して上基体１２を配し、下基体１１と上基体１２の長手方向一端の開口部１７をジッパーガイド１９とし、他端を連結部１３で連結している。本実施例１では前記ジッパーガイド１９の両対向面間のスペース１６を袋ｈ１の２枚のシートからなるシート厚より大きく且つ、雌雄からなる前記ジッパーｈ６厚より小さく（図１、図７参照）、本例では１ｍｍの隔たりのスペース１６とし、更に、該スペース１６の長手方向のジッパーガイド１９から連結部１３までの長さを、各種ある袋ｈ１の袋トップｈ７からジッパーｈ６の一側４８までの長さ（図９参照）に対応するため４４ｍｍとしてなる。更に上基体１２に、ジッパーガイド１９から８ｍｍ内側位置にカッター２１を取付け、該カッター２１の刃２２の向き２７を８度一端方向（図１、図２参照）に向けて取付てなる。【００２５】更に、下基体１１の下対向面１４に窪み３０を設け、弾性体で板状からなる調整装置２５の一端側を窪み３０位置とし、他端側を下基体１１の下対向面１４の支点２９で取付けた調整装置２５とした（図５、Ａ）。【００２６】下基体１１の底面にペットボトルｂ４のキャップｂ５に嵌合するキャップ嵌合凹部ｂ１を設け、該キャップ嵌合凹部ｂ１の内壁ｂ２に滑り止めｂ３を設けたキャップ開封装置ｂ（図１、図３参照）を併設し、更に、下基体１１の他端に該他端から外方に突出する突片ｋ１を設け、該突片ｋ１をプルタブ開封装置Ｋ（図１〜図３参照）とした。【００２７】更に、上基体１２の上面にスライダーｓ１を取り付けた。該スライダーｓ１は、本開封器Ｑで開封した袋ｈ１のジッパーｈ６を閉じるためのスライダーｓ１であって、上基体１２の上面に対向してスライダーｓ１をスライダー連結部ｓ３で取付けてなる（図１、図２参照）。前記に於いてスライダーｓ１と対向する上基体１２の上対向面１５との間をジッパー通路ｓ４とし、該ジッパー通路ｓ４内を開いているジッパーｈ６を通過させることでジッパーｈ６を閉じる。【００２８】本開封器Ｑを冷蔵庫等の金属部分に吸着し保管するための磁石ｍからなる着脱装置ｃ１を下基体１１の底面に取付けた。
【実施例２】
【００２９】前記、実施例１では高齢者や手に障害があって片手操作が要求される身障者では、ジッパー付袋の開封、開いたジッパーの開閉は不可能である。そこで、本実施例２では、前記実施例１の磁石ｍを中止し、本開封器Ｑの下基体１１の下面（図１参照）に吸盤５０からなる着脱装置ｃ１を取付け台等に着脱を可能とした。
【符号の説明】
【００３０】Ｑ    開封器
１１  下基体
１２  上基体
１３  連結部
１４  下対向面
１５  上対向面
１６  スペース
１７  開口部
１８  ギャップ
１９  ジッパーガイド
２０  切取位置挿入口
２１  カッター
２２  刃
２３  刃元
２４  刃先
２５  調整装置
２６  進行方向
２７  刃の向き
２８  引く力の方向
２９  支点
３０  窪み
ｓ１  スライダー
ｓ２  スライダー先端
ｓ３  スライダー連結部
ｓ４  ジッパー通路
ｂ    キャップ開封装置
ｂ１  キャップ嵌合凹部
ｂ２  内壁
ｂ３  滑り止め
ｂ４  ペットボトル
ｂ５  キャップ
ｋ    プルタブ開封装置
ｋ１  突片
ｋ２  プルタブ
ｋ３  缶
ｈ１  袋
ｈ２  表シート
ｈ３  裏シート
ｈ４  切取位置
ｈ５  開封口
ｈ６  ジッパー
ｈ７  袋トップ
ｈ８  ジッパー一側
ｍ    磁石
ｎ    吸盤
ｃ１  着脱装置
ｄ１  台
【図１】
0006436307.tif 000002
【図２】
0006436307.tif 000003
【図３】
0006436307.tif 000004
【図４】
0006436307.tif 000005
【図５】
0006436307.tif 000006
【図６】
0006436307.tif 000007
【図７】
0006436307.tif 000008
【図８】
0006436307.tif 000009
【図９】
0006436307.tif 000010
【図１０】
0006436307.tif 000011
【図１１】
0006436307.tif 000012